(57)【要約】  一般的な実施形態において、本開示のパッケージは、或る形状を有する凹部が形成されている面を有する本体と、該凹部の形状およびサイズに対応する形状およびサイズを有する突起が形成されている面を有する蓋とを含む。本パッケージは、可食製品の種類に対応する色を含む。【選択図】図３
2014522789.tif 000002
【特許請求の範囲】
【請求項１】
可食製品を収容するように構成された内部を形成する本体であって、或る形状を有する凹部が形成されている底面を備える本体と、
前記本体の前記凹部の形状およびサイズに対応する形状およびサイズを有する突起が形成されている面を備える蓋と、
前記本体に収容される前記可食製品の種類に対応する色と
を有するパッケージ。
【請求項２】
前記本体の前記凹部が、円形、正方形、長方形、三角形、四角形、五角形、六角形、七角形、八角形、九角形、十角形、十六角形、二十角形、星形、楕円形、半円形、三日月形、花形、およびこれらの組合せからなる群より選択される形状を有し、
前記蓋の前記突起が、円形、正方形、長方形、三角形、四角形、五角形、六角形、七角形、八角形、九角形、十角形、十六角形、二十角形、星形、楕円形、半円形、三日月形、花形、およびこれらの組合せからなる群より選択される形状を有する、請求項１に記載のパッケージ。
【請求項３】
前記蓋の前記突起が前記本体の前記凹部に挿入され得るように、前記蓋の前記突起のサイズが、前記本体の前記凹部よりもわずかに小さくなっている、請求項１に記載のパッケージ。
【請求項４】
前記蓋の色が、タンパク質、野菜、穀物、および果物を収容するパッケージごとに異なる、請求項１に記載のパッケージ。
【請求項５】
前記本体、前記蓋、または前記本体および前記蓋が、把持部、ディンプルグリップを備える把持部、或る形状を有する把持部、印、またはこれらの組合せをさらに備える、請求項１に記載のパッケージ。
【請求項６】
前記本体、前記蓋、または前記本体および前記蓋が、少なくとも１つの印を備え、該印が、エンボス加工、デボス加工、印刷、彫刻、ステッカー、およびこれらの組合せからなる群より選択される方法によって前記本体、前記蓋、または前記本体および前記蓋に配置され、
前記印が、前記本体に収容される前記可食製品の種類に対応するイラスト、前記本体に収容される前記可食製品の種類に対応する色、子供らしい印、スマイリーフェイス、文字、数字、野菜のイラスト、果物のイラスト、穀物のイラスト、タンパク質のイラスト、栄養情報のうちの少なくとも１つである、請求項１に記載のパッケージ。
【請求項７】
多様な使用が、供食具としての使用および玩具としての使用を少なくとも含む、請求項１に記載のパッケージ。
【請求項８】
前記本体、前記蓋、または前記本体および前記蓋の前記凹部の形状およびサイズに対応する形状およびサイズを有する少なくとも１つの突起を有する略平坦な面を備える供食パッドと、
当該パッケージの少なくとも一部を取り囲むように構成されたスリーブであって、少なくとも４つの面を有し、該４つの面のそれぞれが印または印の組合せを備えるスリーブと
をさらに備える、請求項１に記載のパッケージ。
【請求項９】
前記供食パッドの前記面の色が、前記供食パッドの前記突起の色と異なっている、請求項８に記載のパッケージ。
【請求項１０】
前記供食パッドが複数の突起を備える、請求項８に記載のパッケージ。
【請求項１１】
前記複数の突起のそれぞれが、異なる形状、異なる色、またはこれらの組合せを有する、請求項８に記載のパッケージ。
【請求項１２】
前記突起の色、形状、または色および形状が、当該パッケージの前記本体に収容される前記可食製品の種類に対応している、請求項８に記載のパッケージ。
【請求項１３】
前記供食パッドが、滑らない材料から作られている、請求項８に記載のパッケージ。
【請求項１４】
バランスの取れた食事をよちよち歩きの幼児に与えることに役立つように構成された、請求項８に記載のパッケージ。
【請求項１５】
多様な使用が、少なくとも供食具としての使用および玩具としての使用を含む、請求項８に記載のパッケージ。
【請求項１６】
前記印が、エンボス加工、デボス加工、印刷、彫刻、ステッカー、およびこれらの組合せからなる群より選択される方法によって前記スリーブに配置され、前記スリーブの前記印が、前記本体に収容される前記可食製品の種類に対応するイラスト、前記本体に収容される前記可食製品の種類に対応する色、子供らしい印、スマイリーフェイス、文字、数字、野菜のイラスト、果物のイラスト、穀物のイラスト、タンパク質のイラスト、栄養情報のうちの少なくとも１つである、請求項８に記載のパッケージ。
【請求項１７】
前記スリーブの第１の面が、容器に収容される前記可食製品に対応するイラストを備え、前記スリーブの第２の面が、前記容器に収容される前記可食製品に対応する数字を備え、前記スリーブの第３の面が、前記容器に収容される前記可食製品に対応する色を備え、前記スリーブの第４の面が、バランスの取れた食事の要素を含む凡例を備える、請求項８に記載のパッケージ。
【請求項１８】
子供の積木に似ており、バランスの取れた食事をよちよち歩きの幼児に与えることに役立つように構成された、請求項１に記載のパッケージ。
【請求項１９】
前記本体が、当該パッケージの上部にハンガを受けるためのフックをさらに形成している、請求項１に記載のパッケージ。
【請求項２０】
前記可食製品が、スナック食品、おかず、十分な食事、およびこれらの組合せからなる群より選択される、請求項１に記載のパッケージ。
【請求項２１】
当該パッケージの第１の突起が、第２のパッケージの第２の突起と連結されるように構成されている、請求項１に記載のパッケージ。
【請求項２２】
前記本体が、ミシン目によって互いに連結されている第１の区画および第２の区画を有し、前記第１の区画および前記第２の区画が第１の構成では並置され、前記第１の区画が第２の構成では前記第２の区画の上部に載置されるように、当該パッケージが前記ミシン目に沿って折り返される、請求項１に記載のパッケージ。
【請求項２３】
前記第１の区画および前記第２の区画を密閉するために当該パッケージの上面を密閉するカバーをさらに備える、請求項２２に記載のパッケージ。
【請求項２４】
バランスの取れた食事を子供に与えるための方法であって、
請求項１〜２３のいずれか一項に記載のパッケージからなる群より選択される少なくとも２つの異なるパッケージを用意することと、
前記異なるパッケージのそれぞれを少なくとも１つ含む食事を子供に与えることと
を含む方法。
【請求項２５】
前記本体の前記凹部と供食パッドの対応する前記少なくとも１つの突起とを連結することによって、前記供食パッドに前記パッケージを配置することをさらに含む、請求項２４に記載の方法。
【請求項２６】
前記食事を前記子供に与える前に第１のパッケージの第１の突起を第２のパッケージの第２の突起に取り付けることであって、前記食事が、互いに取り付けられた前記第１のパッケージおよび前記第２のパッケージを含むことをさらに含む、請求項２４に記載の方法。
【請求項２７】
可食製品を販売するための方法であって、
請求項１〜２３のいずれか一項に記載のパッケージからなる群より選択されるパッケージを用意することと、
小売店の棚に前記パッケージを配置することと
を含む方法。
【発明の詳細な説明】
【技術分野】
【０００１】
[0001]本開示は、概して包装に関する。より具体的には、本開示は、可食製品（ｃｏｎｓｕｍａｂｌｅ  ｐｒｏｄｕｃｔ）を保管するための容器および該容器を使用する方法に関する。
【背景技術】
【０００２】
[0002]可食製品用の包装には、様々なサイズ、形状、材料、およびデザインのものがある。これらのサイズ、形状、材料、およびデザインは、一般に、例えば審美的理由から様々である。可食製品の包装は、パッケージの審美的品質を高めるために設けられてもよいが、可食製品の包装の目的は、この目的だけに限定されているわけではない。
【０００３】
[0003]実際、パッケージの審美的品質を改善することを目的とした可食製品用のパッケージは、最適な機能または使用を常に提供することができるわけではないし、ある製品を別の製品から識別する際に消費者を十分に助けることができるわけではない。その代わりに、特定の形状、サイズ、および／または色を有する可食製品用の包装は、見込まれる審美的な利点に加えて機能的な利点をこのようなパッケージの消費者および／または使用者にもたらすことができる。
【発明の概要】
【発明が解決しようとする課題】
【０００４】
[0004]本開示は、可食製品を収容するためのパッケージに関する。本パッケージは、供食中におけるよちよち歩きの幼児または保護者によるパッケージの容易な取扱い、栄養情報を伝達する新規の方法、パッケージの多様な使用をもたらし、消費者の間の購入意欲および商品価値を高める、カスタマイズされる現代的なパッケージであり得る。
【課題を解決するための手段】
【０００５】
[0005]実施形態において、本開示のパッケージは、本体および蓋を有するパッケージを提供する。本体は、可食製品を収容するように構成された内部を形成しており、また、或る形状を有する凹部が形成されている底面を有し、蓋は、本体の凹部の形状およびサイズに対応する形状およびサイズを有する突起が形成されている面ならびに本体に収容される可食製品の種類に対応する色を含む。
【０００６】
[0006]実施形態において、本体の凹部および蓋の突起は、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択される形状を有する。
【０００７】
[0007]実施形態において、蓋の突起のサイズは、蓋の突起が本体の凹部に挿入され得るように、本体の凹部よりもわずかに小さい。
【０００８】
[0008]実施形態において、蓋の色は、タンパク質、野菜、穀物、および果物を収容するパッケージごとに異なる。例えば、蓋の色は、本体に収容されている可食製品が野菜の場合は緑であり、または本体に収容されている可食製品が果物の場合は赤であり、または本体に収容されている可食製品が穀物の場合は黄であり、または本体に収容されている可食製品がタンパク質の場合はオレンジであってもよい。
【０００９】
[0009]実施形態において、本体は、把持部をさらに備える。把持部は、ディンプルグリップであってもよく、また、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択される形状を有してもよい。把持部は、本体の周囲の約５％〜約１００％、または本体の周囲の約１０％〜約９０％、本体の周囲の約２０％〜約８０％、または本体の周囲の約３０％〜約７０％、または本体の周囲の約４０％〜約６０％、または本体の周囲の約５０％を覆ってもよい。また、本体は、複数の把持部を含んでもよい。
【００１０】
[0010]実施形態において、蓋は、子供らしい印をさらに含む。子供らしい印は、エンボス加工、デボス加工、印刷、彫刻、ステッカー、またはこれらの組合せからなる群より選択される方法によって蓋に配置されてもよい。実施形態において、子供らしい印は、スマイリーフェイスである。
【００１１】
[0011]実施形態において、本体は、円筒形、立方体形、直方体形、角錐形、円錐形、角柱形、またはこれらの組合せからなる群より選択される形状を有する。蓋は、丸い形状を有してもよい。
【００１２】
[0012]実施形態において、本体は印を備える。印は、エンボス加工、デボス加工、印刷、彫刻、ステッカー、またはこれらの組合せからなる群より選択される方法によって本体に配置されてもよい。実施形態において、印は、ステッカーによって本体に配置される。
【００１３】
[0013]実施形態において、印は、本体に収容される可食製品の種類に対応するイラストを含む。イラストは、野菜、果物、穀物、タンパク質、またはこれらの組合せからなる群より選択されてもよい。印は、栄養情報、本体に収容される可食製品の種類に対応する色、本体に収容される可食製品の種類に対応する数字、本体に収容される可食製品の種類に対応する文字などであってもよい。
【００１４】
[0014]実施形態において、パッケージは、消費者に製品情報を容易に伝達するように構成される。また、パッケージは、バランスの取れた食事をよちよち歩きの幼児に与えることに役立つように構成されてもよいし、または多様な使用のために構成されてもよい。多様な使用は、少なくとも供食具としての使用および玩具としての使用を含んでもよい。
【００１５】
[0015]実施形態において、蓋は、本体を覆う蓋の部分に対して略垂直な方向に延在するタブを含む。また、タブは、本体の側壁と略平行な方向に延在してもよい。
【００１６】
[0016]別の実施形態において、可食製品用のパッケージキットが提供され、これは、パッケージおよび供食パッドを含む。パッケージは、可食製品を収容するように構成された内部を形成する本体であって、或る形状を有する凹部が形成されている底面を備える本体と、本体の凹部の形状およびサイズに対応する形状およびサイズを有する突起が形成されている面を有する蓋と、本体に収容される可食製品の種類に対応する色とを含む。供食パッドは、本体の凹部の形状およびサイズに対応する形状およびサイズを有する少なくとも１つの突起を有する略平坦な面を含む。
【００１７】
[0017]実施形態において、供食パッドの突起は、円形、正方形、長方形、三角形、四角形からなる群より選択される形状を有する。
【００１８】
[0018]実施形態において、供食パッドは複数の突起を備える。複数の突起のそれぞれは、異なる形状および異なる色を有してもよい。形状および色は、パッケージの本体に収容される可食製品の種類に対応してもよい。実施形態において、供食パッドは、少なくとも２つの異なる形状の突起を備える。
【００１９】
[0019]実施形態において、本体の凹部および蓋の突起は、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択される形状を有してもよい。
【００２０】
[0020]実施形態において、蓋の突起のサイズは、蓋の突起が本体の凹部に挿入され得るように、本体の凹部よりもわずかに小さい。
【００２１】
[0021]実施形態において、蓋の色は、タンパク質、野菜、穀物、および果物を収容するパッケージごとに異なる。例えば、蓋の色は、本体に収容されている可食製品が野菜の場合は緑であり、または本体に収容されている可食製品が果物の場合は赤であり、または本体に収容されている可食製品が穀物の場合は黄であり、または本体に収容されている可食製品がタンパク質の場合はオレンジであってもよい。
【００２２】
[0022]実施形態において、本体は把持部をさらに備える。把持部は、ディンプルグリップであってもよく、また、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択される形状を有してもよい。把持部は、本体の周囲の約５％〜約１００％、または本体の周囲の約１０％〜約９０％、本体の周囲の約２０％〜約８０％、または本体の周囲の約３０％〜約７０％、または本体の周囲の約４０％〜約６０％、または本体の周囲の約５０％を覆ってもよい。また、本体は複数の把持部を含んでもよい。
【００２３】
[0023]実施形態において、蓋は、子供らしい印をさらに含む。子供らしい印は、エンボス加工、デボス加工、印刷、彫刻、ステッカー、またはこれらの組合せからなる群より選択される方法によって蓋に配置されてもよい。実施形態において、子供らしい印は、スマイリーフェイスである。
【００２４】
[0024]実施形態において、本体は印を備える。印は、エンボス加工、デボス加工、印刷、彫刻、ステッカー、またはこれらの組合せからなる群より選択される方法によって本体に配置されてもよい。実施形態において、印は、ステッカーによって本体に配置される。
【００２５】
[0025]実施形態において、印は、本体に収容される可食製品の種類に対応するイラストを含む。イラストは、野菜、果物、穀物、タンパク質、またはこれらの組合せからなる群より選択されてもよい。印は、栄養情報、本体に収容される可食製品の種類に対応する色、本体に収容される可食製品の種類に対応する数字、本体に収容される可食製品の種類に対応する文字などであってもよい。
【００２６】
[0026]実施形態において、パッケージは、製品情報を消費者に容易に伝達するように構成される。また、パッケージは、バランスの取れた食事をよちよち歩きの幼児に与えることに役立つように構成されてもよいし、または多様な使用のために構成されてもよい。多様な使用は、少なくとも供食具としての使用および玩具としての使用を含んでもよい。
【００２７】
[0027]実施形態において、蓋は、本体を覆う蓋の部分に対して略垂直な方向に延在するタブを含む。また、タブは、本体の側壁と略平行な方向に延在してもよい。
【００２８】
[0028]さらに別の実施形態において、可食製品用のパッケージが提供され、これは、可食製品を収容するための容器および該容器の少なくとも一部を取り囲むように構成されたスリーブを含む。容器は、容器に収容される可食製品の種類に対応する色を有し、スリーブは、少なくとも４つの面を有し、該４つの面のそれぞれは、印を備える。
【００２９】
[0029]実施形態において、容器は、本体および蓋を備える。本体および蓋の色は、同じであってもよいし、または異なっていてもよい。実施形態において、本体または蓋の色は、タンパク質、野菜、穀物、および果物を収容するパッケージごとに異なる。例えば、本体／蓋の色は、本体に収容されている可食製品が野菜の場合は緑であり、または本体に収容されている可食製品が果物の場合は赤であり、または本体に収容されている可食製品が穀物の場合は黄であり、または本体に収容されている可食製品がタンパク質の場合はオレンジであってもよい。
【００３０】
[0030]実施形態において、容器は、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択される形状を有する。容器は、その上に可視的な印を有してもよい。
【００３１】
[0031]実施形態において、スリーブは、正方形の形状を備える。また、スリーブは、その上に可視的な印を有してもよい。印は、エンボス加工、デボス加工、印刷、彫刻、ステッカー、またはこれらの組合せからなる群より選択される方法によってスリーブに配置されてもよい。印は、印刷によってスリーブに配置されてもよい。
【００３２】
[0032]実施形態において、スリーブの各面は、ブランドロゴ、栄養情報、容器に収容される可食製品に対応するイラスト、容器に収容される可食製品に対応する数字、容器に収容される可食製品に対応する文字、容器に収容される可食製品に対応する色、バランスの取れた食事の要素を含む凡例、またはこれらの組合せからなる群より選択される互いに異なる印を備える。
【００３３】
[0033]実施形態において、スリーブの第１の面は、容器に収容される可食製品に対応するイラストを備え、スリーブの第２の面は、容器に収容される可食製品に対応する数字を備え、スリーブの第３の面は、容器に収容される可食製品に対応する色を備え、スリーブの第４の面は、バランスの取れた食事の要素を含む凡例を備える。
【００３４】
[0034]実施形態において、容器の色およびスリーブの印の双方は、容器に収容される可食製品の種類に対応する。
【００３５】
[0035]実施形態において、イラストは、野菜、果物、穀物、タンパク質、またはこれらの組合せからなる群より選択される。また、印は栄養情報であってもよい。
【００３６】
[0036]実施形態において、パッケージは、子供の積木に似ている。
【００３７】
[0037]実施形態において、パッケージは、製品情報を消費者に容易に伝達するように構成される。また、パッケージは、バランスの取れた食事をよちよち歩きの幼児に与えることに役立つように構成されてもよいし、または多様な使用のために構成されてもよい。多様な使用は、少なくとも供食具としての使用および玩具としての使用を含んでもよい。
【００３８】
[0038]もっと別の実施形態において、パッケージが提供され、これは、可食製品を収容するための少なくとも１つの区画を形成している本体と、本体から延在する第１の突起および第２の突起と、飛行機に似た形状を有する周辺部とを含む。第１の突起は、飛行機形状の周辺部の第１の翼に相当する位置に配置され、第２の突起は、飛行機形状の周辺部の第２の翼に相当する位置に配置される。
【００３９】
[0039]実施形態において、内部区画は、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択される形状を有する。
【００４０】
[0040]実施形態において、本体は、パッケージの上部にハンガを受けるためのフックをさらに形成する。
【００４１】
[0041]実施形態において、可食製品は、スナック食品、おかず（ｓｉｄｅ  ｍｅａｌ）、十分な食事（ｆｕｌｌ  ｍｅａｌ）、またはこれらの組合せからなる群より選択される。
【００４２】
[0042]実施形態において、周辺部の少なくとも一部および区画の底面の部分は、パッケージが略垂直に立つことを可能にするための平面を形成する。
【００４３】
[0043]実施形態において、パッケージの第１の突起は、第２のパッケージの第２の突起と連結されるように構成される。同様に、パッケージの第２の突起は、第３のパッケージの第１の突起と連結されるように構成されてもよい。
【００４４】
[0044]実施形態において、本体の色は、タンパク質、野菜、穀物、および果物を収容するパッケージごとに異なる。例えば、本体の色は、本体に収容されている可食製品が野菜の場合は緑であり、または本体に収容されている可食製品が果物の場合は赤であり、または本体に収容されている可食製品が穀物の場合は黄であり、または本体に収容されている可食製品がタンパク質の場合はオレンジであってもよい。
【００４５】
[0045]実施形態において、本体は、子供らしい印をさらに含む。子供らしい印は、エンボス加工、デボス加工、印刷、彫刻、ステッカー、またはこれらの組合せからなる群より選択される方法によって本体に配置されてもよい。実施形態において、子供らしい印は、スマイリーフェイスである。
【００４６】
[0046]実施形態において、パッケージは、本体の少なくとも一部を取り囲むように構成されたスリーブをさらに備える。スリーブは、略矩形の形状を有してもよく、また、その上に印を有してもよい。印は、エンボス加工、デボス加工、印刷、彫刻、ステッカー、またはこれらの組合せからなる群より選択される方法によってスリーブに配置されてもよい。実施形態において、印は、印刷によってスリーブに配置される。
【００４７】
[0047]実施形態において、スリーブの各面は、ブランドロゴ、栄養情報、容器に収容される可食製品に対応するイラスト、容器に収容される可食製品に対応する数字、容器に収容される可食製品に対応する文字、容器に収容される可食製品に対応する色、バランスの取れた食事の要素を含む凡例、またはこれらの組合せからなる群より選択される互いに異なる印を備える。
【００４８】
[0048]実施形態において、スリーブの前面は、容器に収容される可食製品に対応するイラストを備え、スリーブの背面は、容器に収容される可食製品に対応する色および栄養情報を備える。実施形態において、イラストは、野菜、果物、穀物、タンパク質、またはこれらの組合せからなる群より選択される。
【００４９】
[0049]実施形態において、本体の色およびスリーブの印の双方は、容器に収容される可食製品の種類に対応する。
【００５０】
[0050]実施形態において、パッケージは、製品情報を消費者に容易に伝達するように構成される。また、パッケージは、バランスの取れた食事をよちよち歩きの幼児に与えることに役立つように構成されてもよいし、または多様な使用のために構成されてもよい。多様な使用は、少なくとも供食具としての使用および玩具としての使用を含んでもよい。
【００５１】
[0051]別の実施形態において、パッケージが提供され、これは、ミシン目によって互いに連結された第１の区画および第２の区画を有する本体を含む。第１の構成では第１の区画および第２の区画が並置される。また、パッケージは、第２の構成では第１の区画が第２の区画の上部に載置されるように、ミシン目に沿って折り返されてもよい。
【００５２】
[0052]実施形態において、パッケージは、第１の区画および第２の区画を密閉するためにパッケージの上面を密閉するカバーをさらに備える。カバーの材料は、ボール紙、板紙、カード用紙（ｃａｒｄ  ｓｔｏｃｋ）、繊維板、リッドストック（ｌｉｄｓｔｏｃｋ）、またはこれらの組合せからなる群より選択されてもよい。また、カバーは、本体のミシン目に対応する位置にミシン目または切断部を含んでもよい。
【００５３】
[0053]実施形態において、第１の区画および第２の区画のそれぞれは、エンボス加工された形状またはデボス加工された形状を有する底面を有する。エンボス加工された形状またはデボス加工された形状は、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択されてもよい。また、形状は、第１の区画または第２の区画に収容される可食製品の種類を示してもよい。
【００５４】
[0054]実施形態において、第１の区画は、第２の構成では第２の区画上に逆さまに載置される。
【００５５】
[0055]実施形態において、パッケージの本体は、第１の区画および第２の区画に収容される可食製品を示す色を有する。
【００５６】
[0056]実施形態において、本体の色は、タンパク質、野菜、穀物、および果物を収容するパッケージごとに異なる。例えば、本体の色は、本体に収容されている可食製品が野菜の場合は緑であり、または本体に収容されている可食製品が果物の場合は赤であり、または本体に収容されている可食製品が穀物の場合は黄であり、または本体に収容されている可食製品がタンパク質の場合はオレンジであってもよい。
【００５７】
[0057]実施形態において、２つ以上のトレイは、別々に製造されて、互いに接合される。
【００５８】
[0058]実施形態において、２つ以上のトレイは、異なるトレイ深さを有する。
【００５９】
[0059]実施形態において、２つ以上のトレイは、異なる直径および異なるトレイ深さを有する。
【００６０】
[0060]実施形態において、２つ以上のトレイは、異なる製品を含む。
【００６１】
[0061]実施形態において、２つ以上のトレイは、同じ製品を含む。
【００６２】
[0062]実施形態において、２つ以上のトレイは、共に使用される物品を含む。
【００６３】
[0063]実施形態において、２つ以上のトレイの少なくとも１つは、共に使用される物品を含む。
【００６４】
[0064]実施形態において、２つ以上のトレイは、食事の異なる部分のための物品を含む。
【００６５】
[0065]実施形態において、２つ以上のトレイは、異なる処理を必要とする物品を含む。
【００６６】
[0066]実施形態において、２つ以上のトレイは、レーザ切断によってミシン目を付けられる。
【００６７】
[0067]実施形態において、レーザ切断によって、２つ以上のトレイはミシン目を付けられ、リッドストックは切断される。
【００６８】
[0068]実施形態において、２つ以上のトレイは、熱処理された後でミシン目を付けられる。実施形態において、熱処理は、レトルト処理である。
【００６９】
[0069]実施形態において、２つ以上のトレイは、熱処理された後で分離される。実施形態において、熱処理は、レトルト処理である。
【００７０】
[0070]実施形態において、２つ以上のトレイは、一日の食事のうちの２種類以上を含んでもよい。例えば、あるトレイは朝食を含んでもよく、あるトレイは昼食を含んでもよく、あるトレイは間食を含んでもよく、および／またはあるトレイは夕食を含んでもよい。
【００７１】
[0071]さらに別の実施形態において、バランスの取れた食事を子供に与えるための方法が提供される。本方法は、少なくとも２つの異なるパッケージであって、各パッケージが、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類に対応する色とを有する、少なくとも２つの異なるパッケージを用意することを含む。本方法は、異なるパッケージのそれぞれを少なくとも１つ含む食事を子供に与えることをさらに含む。
【００７２】
[0072]さらにまた別の実施形態において、バランスの取れた食事を子供に与えるための方法が提供される。本方法は、少なくとも２つの異なるパッケージであって、各パッケージが、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類を示す色とを有する、少なくとも２つの異なるパッケージを用意することを含む。本方法は、本体の凹部の形状およびサイズに対応する形状およびサイズを有する少なくとも１つの突起を有する略平坦な面を備える供食パッドを用意することと、本体の凹部の形状と供食パッドの少なくとも１つの突起とを一致させることと、本体の凹部と供食パッドの対応する少なくとも１つの突起とを連結することによって供食パッドにパッケージを配置することとをさらに含む。
【００７３】
[0073]別の実施形態において、バランスの取れた食事を子供に与えるための方法が提供される。本方法は、少なくとも２つの異なるパッケージであって、各パッケージが、（ｉ）可食製品を収容するための容器であって、該容器に収容される可食製品の種類に対応する色を有する容器と、（ｉｉ）容器を収容するように構成されたスリーブであって、少なくとも４つの面を有し、該４つの面のそれぞれが印を備えるスリーブとを備える、少なくとも２つの異なるパッケージを用意することを含む。本方法は、異なるパッケージのそれぞれを少なくとも１つ含む食事を子供に与えることをさらに含む。
【００７４】
[0074]さらに別の実施形態において、バランスの取れた食事を子供に与えるための方法が提供される。本方法は、少なくとも２つの異なるパッケージであって、各パッケージが、可食製品を収容するための少なくとも１つの内部区画を形成している本体と、該本体から延在する第１の突起および第２の突起と、飛行機に似た形状を有する周辺部とを備え、第１の突起が、飛行機形状の周辺部の第１の翼に相当する位置に配置されており、第２の突起が、飛行機形状の周辺部の第２の翼に相当する位置に配置されている、少なくとも２つの異なるパッケージを用意することを含む。本方法は、第１のパッケージの第１の突起を第２のパッケージの第２の突起に取り付けることと、互いに取り付けられた第１のパッケージおよび第２のパッケージを含む食事を子供に与えることとをさらに含む。
【００７５】
[0075]さらにまた別の実施形態において、可食製品を販売するための方法が提供される。本方法は、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類に対応する色とを有するパッケージを用意することを含む。本方法は、小売店の棚にパッケージを配置することをさらに含む。
【００７６】
[0076]別の実施形態において、可食製品を販売するための方法が提供される。本方法は、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類を示す色と、（ｉｉｉ）本体の凹部の形状およびサイズに対応する形状およびサイズを有する少なくとも１つの突起を有する略平坦な面を備える供食パッドとを有する、可食製品用のパッケージキットを用意することを含む。本方法は、小売店の棚に可食製品用のパッケージキットを配置することをさらに含む。
【００７７】
[0077]さらに別の実施形態において、可食製品を販売するための方法が提供される。本方法は、（ｉ）可食製品を収容するための容器であって、該容器に収容される可食製品の種類に対応する色を有する容器と、（ｉｉ）容器を収容するように構成されたスリーブであって、少なくとも４つの面を有し、該４つの面のそれぞれが印を備えるスリーブとを備えるパッケージを用意することを含む。本方法は、小売店の棚に可食製品用のパッケージキットを配置することをさらに含む。
【００７８】
[0078]さらにまた別の実施形態において、可食製品を販売するための方法が提供される。本方法は、可食製品を収容するための少なくとも１つの内部区画を形成している本体と、該本体から延在する第１の突起および第２の突起と、飛行機に似た形状を有する周辺部とを備え、第１の突起が、飛行機形状の周辺部の第１の翼に相当する位置に配置されており、第２の突起が、飛行機形状の周辺部の第２の翼に相当する位置に配置されているパッケージを用意することを含む。本方法は、小売店の棚に可食製品用のパッケージキットを配置することをさらに含む。
【００７９】
[0079]本開示の利点は、改良された可食製品用容器が提供されることである。
【００８０】
[0080]また、本開示の利点は、審美的に子供を喜ばせる可食製品用容器が提供されることである。
【００８１】
[0081]本開示の別の利点は、形状を一致させることを子供に教える可食製品用容器が提供されることである。
【００８２】
[0082]本開示のさらに別の利点は、子供による形状、色、およびサイズの識別を改善する可食製品用容器が提供されることである。
【００８３】
[0083]本開示のさらにまた別の利点は、子供の手の器用さを改善する可食製品用容器が提供されることである。
【００８４】
[0084]本開示の別の利点は、容器の商品価値を向上させる可食製品用容器が提供されることである。
【００８５】
[0085]本開示のさらなる利点は、子供の食品の取扱いのために保護者および／またはよちよち歩きの幼児によって容易に把持される可食製品用容器が提供されることである。
【００８６】
[0086]本開示のさらに別の利点は、自己摂食（ｓｅｌｆ−ｆｅｅｄｉｎｇ）のために子供によって容易に把持される可食製品用容器が提供されることである。
【００８７】
[0087]本開示の別の利点は、多機能であり、かつ供食および／または遊びに使用され得る可食製品用容器が提供されることである。
【００８８】
[0088]さらなる特徴および利点は、本明細書で説明され、以下の詳細な説明および図面から明らかになる。
【図面の簡単な説明】
【００８９】
[0089]
【図１】本開示の実施形態に係る可食製品用容器の斜視図である。
【図２】本開示の実施形態に係る可食製品用容器の側面図である。
【図３】本開示の実施形態に係る、積み重ねられた可食製品用容器の側面図である。
【図４】本開示の実施形態に係る可食製品用容器の斜視図である。
【図５】本開示の実施形態に係る、積み重ねられた可食製品用容器の側面図である。
【図６】本開示の実施形態に係る可食製品用容器と共に使用するための供食パッドの斜視図である。
【図７】本開示の実施形態に係る供食パッドおよび可食製品用容器の斜視図である。
【図８】本開示の実施形態に係る可食製品用容器の斜視図である。
【図９】本開示の実施形態に係る可食製品用容器の斜視図である。
【図１０Ａ】本開示の実施形態に係る可食製品用容器のサイドパネルを示している。
【図１０Ｂ】本開示の実施形態に係る可食製品用容器のサイドパネルを示している。
【図１０Ｃ】本開示の実施形態に係る可食製品用容器のサイドパネルを示している。
【図１０Ｄ】本開示の実施形態に係る可食製品用容器のサイドパネルを示している。
【図１１】本開示の実施形態に係る可食製品用容器の斜視図である。
【図１２】本開示の実施形態に係る可食製品用容器の斜視図である。
【図１３】本開示の実施形態に係る、互いに複数連結された可食製品用容器の上面図である。
【図１４】本開示の実施形態に係る可食製品用容器の斜視図である。
【図１５】本開示の実施形態に係る可食製品用容器の側面図である。
【図１６】本開示の実施形態に係る可食製品用容器の斜視図である。
【図１７】本開示の実施形態に係る可食製品用容器の斜視図である。
【図１８】本開示の実施形態に係る可食製品用容器の斜視図である。
【図１９】本開示の実施形態に係る可食製品用容器の上面図である。
【図２０】本開示の実施形態に係る可食製品用容器の側面図である。
【図２１】本開示の実施形態に係る可食製品用容器の底面図である。
【図２２】２つの可食製品用容器の斜視図であり、これらが本開示の実施形態に従って互いに連結される仕方を示している。
【図２３】本開示の実施形態に係る、互いに複数連結された可食製品用容器の斜視図である。
【発明を実施するための形態】
【００９０】
[00115]本開示は、可食製品を収容するためのパッケージを提供する。パッケージは、よちよち歩きの幼児および／またはその保護者にとって使い易いようにカスタムデザインされてもよく、さらに、現代的な方法で栄養情報を目立たせるようにデザインされてもよい。これに関連して、パッケージには、よちよち歩きの幼児または保護者が供食中にパッケージを容易に取り扱えるようにし、栄養情報を伝達する新規の方法をもたらし、パッケージの多様な使用法を提供し、消費者の間の購入意欲および商品価値を高めるような色、形状、および他の特徴が使用されてもよい。
【００９１】
[00116]パッケージに収容される可食製品は、例えば、離乳食、スナック食品、十分な食事、おかずなどを含む任意の可食製品であってもよい。実施形態において、パッケージは、子供（例えば、乳児、よちよち歩きの幼児、幼稚園児など）用の食品（例えば、果物、野菜、穀物、シリアル、パスタを含む）を収容する。可食製品は、指でつまんで食べられる食品であってもよいし、または道具を使用することによって摂食されるようにデザインされていてもよい。したがって、本開示の教示は、製品が本明細書に記載のパッケージに適合する限り、何か特定の種類の可食製品に依存するわけではない。
【００９２】
[00117]本開示のパッケージの本体は、成形プラスチック材料（例えば、ポリエチレンもしくはポリプロピレンなどまたはこれらの組合せ）から作られてもよい。本体は、従来の熱成形、または射出成形、射出ブロー成形、および押出ブロー成形を含むが、これらに限定されない成形工程を使用することによって形成されてもよい。あるいは、本体は、ボール紙、金属、発泡スチロールなどを含むが、これらに限定されない非プラスチック材料から製造されてもよい。さらに、本体の少なくとも一部は、消費者がパッケージの区画にどの種類の製品が収容されているのかを容易に識別できるように、透明または半透明のいずれかであってもよい。あるいは、本体の少なくとも一部は、不透明であってもよい。蓋が設けられている実施形態において、蓋は、本体と同じ材料または本体とは異なる材料から製造されてもよく、また、本体が不透明なのに対して半透明であってもよいし、またはこの逆であってもよい。
【００９３】
[00118]実施形態において、図１に示されているように、可食製品を保管するためのパッケージ１０が提供される。パッケージ１０は、内部区画（図示せず）を形成している本体１２を含む。パッケージ１０の本体１２の形状は、略円筒形として示されているが、パッケージ１０の本体１２は、当該技術分野で周知の任意の形状で形成されてもよい。例えば、本体１２は、内部区画に可食製品を収容することができる限り、円筒形、立方体形、直方体形、角錐形、円錐形、角柱形などであってもよい。参照しやすいように、この実施形態に関しては、楕円形の本体１２としての本体１２について述べる。また、本体１２は、可食製品が本体１２に含まれることができ、よちよち歩きの幼児またはよちよち歩きの幼児の保護者によって容易に取り扱われ得る限り、何か特定のサイズに限定されるわけではない。当業者ならば分かるように、パッケージ１０の寸法は、必要に応じて、または製造仕様に応じて、またはパッケージ１０に含まれる可食製品のサイズおよび形状に応じて変更されてもよい。
【００９４】
[00119]しかしながら、本体１２の内部区画（図示せず）のサイズおよび形状は、よちよち歩きの幼児が容易に自己摂食を行うことを可能にするものであるべきである。例えば、内部区画は、よちよち歩きの幼児が自己摂食を行う目的で本体１２に収容されている可食製品を取り出すために本体１２内に到達することを可能にする円形または楕円形の形状を有してもよい。よちよち歩きの幼児の手の器用さは、限定されたものであるか、またはきめ細かなものではないため、よちよち歩きの幼児は、内部区画が、食品が引っ掛かるか、または嵌り込み、取り出すために微妙な運動制御を必要とする可能性がある角を有する場合、本体１２から食品を取り出すことに苦労する可能性がある。実施形態において、内部区画の形状は、円形である。実施形態において、本体１２は、１つより多くの区画を含んでもよい。
【００９５】
[00120]供食中の本体１２の良好な把持を確実にするために、本体１２は、本体１２の少なくとも一部または本体１２の周囲などに把持部１４を含んでもよい。例えば、把持部１４は、本体１２の周囲の約５％〜約１００％、または約１０％〜約９０％、または約２０％〜約８０％、または約３０％〜約７０％、または約４０％〜約６０％を覆ってもよい。実施形態において、把持部１４は、本体１２の周囲の約５０％を覆っている。このように、本体１２の周囲全体の少なくとも一部に把持部１４が存在してもよい。
【００９６】
[00121]また、把持部１４は、当該技術分野で周知の任意の形状（例えば、円形、正方形、長方形、三角形、数字、文字、星形、スマイリーフェイスなどを含む）を有してもよい。同様に、本体１２の外面には任意の数の把持部１４が存在してもよい。実施形態において、図１〜図３に示されているように、本体１２は、本体１２の周囲において互いに１８０°の位置に配置された２つの円形状の把持部１４を有してもよい。当業者ならば分かるように、把持部１４は、把持部１４がよちよち歩きの幼児またはよちよち歩きの幼児の保護者によるパッケージ１０の取扱いを助ける限り、当該技術分野で周知の任意のサイズおよび形状を有してもよい。実施形態において、ディンプルグリップが、把持部１４として使用される。把持部１４は、パッケージ１０に収容される可食製品が、子供が道具を使用せずに食べることのできる、指でつまんで食べられる食品である実施形態においてとりわけ有用であり得る。
【００９７】
[00122]また、パッケージ１０は、本体１２に適合するサイズおよび形状に形成された蓋１６を含む。蓋１６は、蓋１６が本体１２に収容される可食製品の損失または汚染を防止するために本体１２に密閉嵌合され得る限り、何か特定の形状またはサイズに限定されるわけではない。このように、蓋１６は、スナップフィット、圧力嵌め、摩擦嵌めなどによって本体１２と連結されてもよい。蓋１６は、本体１２から取り外されるたびに密閉態様で再び本体１２に配置され得るように、再密閉態様で本体１２に嵌合されてもよい。
【００９８】
[00123]蓋１６は、本体１２に含まれている食品の種類を示す色を有してもよい。例えば、それぞれが異なる色を有する４つのパッケージが用意される場合、各パッケージの色は、パッケージがタンパク質（例えば、オレンジ）、野菜（例えば、緑）、果物（例えば、赤）、または穀物（例えば、黄）のいずれを含むのかを示してもよい。特定の食品の種類（例えば、タンパク質、穀物、果物など）を表す特定の色を有するパッケージを用意することによって、本パッケージは、よちよち歩きの幼児の保護者の買物および家庭での在庫管理を容易にすることができる。このように、保護者は、異なる色を有するパッケージを単に選択することにより野菜、果物、タンパク質、および穀物のそれぞれの１回分を用意することによって、バランスの取れた食事を容易に提供することができる。しかしながら、当業者ならば分かるように、本開示が、本明細書で言及された色／食品の関係に限定されるわけではなく、色および食品の種類が一貫して使用される限り、任意の色が、任意の種類の可食製品を表すために使用されてもよい。
【００９９】
[00124]保護者がよちよち歩きの幼児のために栄養的な食物を容易に組み合わせる別の方法は、本体１２に含まれている食品の種類を示す印１８を本体１２に設けることによるものである。例えば、本体１２には、野菜（例えば、ニンジン）を示す１束のニンジンを図示する印１８があってもよい。別の例では、本体１２には、果物（例えば、リンゴ）を示すリンゴを図示する印１８があってもよい。あるいは、印１８は単に、蓋１６に関連して上述したのと同じ色体系を表す単色の部分であってもよい。例えば、蓋１６は、本体１２と同じ色を有してもよいが、パッケージ１０の栄養的な内容物を示すために、本体１２には、本体１２に含まれている食品群を表す、色のついた印があってもよい（例えば、タンパク質にはオレンジ、野菜には緑、果物には赤、穀物には黄）。印１８は、例えば、色、数字、文字、ロゴ、広告、ブランド情報、栄養情報、製品情報、製造者情報などを含んでもよい。印１８は、感圧材料に印刷されてもよいし、本体１２に直接印刷されてもよいし、取り外し可能な閉鎖具に印刷されてもよいし、ステッカーとして貼り付けられてもよい等々。
【０１００】
[00125]よちよち歩きの幼児の関心を引き付けるために、蓋１６は、子供らしい楽しい特徴をパッケージ１０に付与するエンボス加工された形状、デボス加工された形状、印刷された形状、またはステッカー形状２０をさらに含んでもよい。例えば、図１〜図３に示されているように、蓋１６は、子供の自己摂食の欲求を高めることが可能な、または食事の時間に子供を刺激することの可能な、子供が楽しみを見出すことのできる彫刻されたスマイリーフェイス形状２０を含んでもよい。
【０１０１】
[00126]蓋１６は、蓋１６の上部に少なくとも１つの突起２２（例えば、凸形状）をさらに含んでもよく、少なくとも１つの突起２２は、丸い  を有するものとして示されている。
【０１０２】
[00127]したがって、子供らしい印／形状２０および突起２２は、パッケージ１０の使用を単に可食製品のパッケージ１０としての使用にとどめずに発展させることができ、この結果、供食および遊び時間の目的に関してパッケージ１０を多機能なものにする。このように、子供は、食事の時間の前、間、または後にパッケージ１０を玩具として用いて遊ぶことが可能であってもよい。また、保護者は、上述した色体系に基づいてよちよち歩きの幼児のためにバランスの取れた食物を選択し、選択した食物のパッケージ１０を積み重ね、よちよち歩きの幼児に食事を出すことができる。この提案は、食事の時間をよちよち歩きの幼児にとって楽しいものにし、子供は、パッケージ１０をはがし、パッケージ１０を開けて、自己摂食を行い、次に（必要に応じて）空のパッケージ１０を用いて遊ぶか、または空のパッケージ１０を再び積み重ねるようにして、パッケージ１０を用いて「遊ぶ」ことが可能になり得る。
【０１０３】
[00128]別の実施形態において、図４〜図７に示されているように、可食製品を保管するためのパッケージ３０が提供される。パッケージ３０は、内部区画（図示せず）を形成している本体３２を含む。パッケージ３０の本体３２の形状は、略円筒形として示されているが、パッケージ３０の本体３２は、当該技術分野で周知の任意の形状で形成されてもよい。例えば、本体３２は、内部区画に可食製品を収容することができる限り、正方形、長方形、楕円形（例えば、長円形）、三角形などであってもよい。参照しやすいように、この実施形態に関しては、正方形の本体３２としての本体３２について述べる。また、本体３２は、可食製品が、本体３２に含まれることができ、よちよち歩きの幼児またはよちよち歩きの幼児の保護者によって容易に取り扱われ得る限り、何か特定のサイズに限定されるわけではない。当業者ならば分かるように、パッケージ３０の寸法は、必要に応じて、または製造仕様に応じて、またはパッケージ３０に含まれる可食製品のサイズおよび形状に応じて変更されてもよい。
【０１０４】
[00129]しかしながら、本体３２の内部区画（図示せず）のサイズおよび形状は、よちよち歩きの幼児が容易に自己摂食を行うことを可能にするものであるべきである。例えば、内部区画は、よちよち歩きの幼児が自己摂食を行う目的で本体３２に収容されている可食製品を取り出すために本体３２内に到達することを可能にする円形または楕円形の形状を有してもよい。よちよち歩きの幼児の手の器用さは、限定されたものであるか、またはきめ細かなものではないため、よちよち歩きの幼児は、内部区画が、食品が引っ掛かるか、または嵌り込み、そこから取り出すために微妙な運動制御を必要とする可能性がある角を有する場合、本体３２から食品を取り出すことに苦労する可能性がある。実施形態において、内部区画は、角が丸められた正方形の形状を有する。実施形態において、本体３２は、１つより多くの区画を含んでもよい。
【０１０５】
[00130]また、パッケージ３０は、本体３２に適合するサイズおよび形状に形成された蓋３４を含む。蓋３４は、本体３２に収容される可食製品の損失または汚染を防止するために本体３２に密閉嵌合され得る限り、何か特定の形状またはサイズに限定されるわけではない。このように、蓋３４は、スナップフィット、圧力嵌め、摩擦嵌めなどによって本体３２と連結されてもよい。蓋３４は、本体３２から取り外されるたびに密閉態様で再び本体３２に配置され得るように、再密閉態様で本体３２に嵌合されてもよい。実施形態において、蓋３４は、図４〜図５および図７に示されているように略平坦な蓋である。しかしながら、当業者ならば分かるように、蓋３４は、当該技術分野で周知の任意の形状を有してもよい。
【０１０６】
[00131]また、パッケージ３０の蓋３４は、本体３２の側壁と平行に延在するタブ４４であって、本体３２の開いた内部を覆っている蓋３４の部分に対して垂直な方向に向かって蓋３４から下方へ延在するタブ４４を含んでもよい。タブ４４は、蓋３４の任意の側面または蓋３４の任意の角に配置されてもよく、また、蓋３４を本体３２から容易に分離するために使用されてもよい。本体３２からの蓋３４の容易な取外しは、よちよち歩きの幼児によるより容易な自己摂食を可能にし、また、よちよち歩きの幼児が、パッケージ３０から可食製品がなくなった後でパッケージ３０を用いて容易に楽しんで遊ぶことを可能にする。ほぼ同様に、タブ４４は、保護者が、食事の時間中によちよち歩きの幼児に対して供食を行うために蓋３４を取り外すことをも容易にする。
【０１０７】
[00132]蓋１６と同様に、蓋３４は、上部にエンボス加工された少なくとも１つの突起３６（例えば、凸形状）を含んでもよい。突起３６は、当該技術分野で周知の任意のサイズおよび形状を有してもよい。しかしながら、実施形態において、突起３６は、よちよち歩きの幼児にとって容易に識別可能な形状（例えば、円形、正方形、長方形、三角形、星形、花形など）を有してもよく、また、本体３２の底部の同様の形状の切欠部３８（例えば、凹形状）（図示せず）と連結されるサイズに形成されてもよい。パッケージ１０と同様に、本体３２および蓋３４を有するパッケージ３０が完全に組み立てられたとき、図５に示されているように、第１のパッケージ３０は、第２のパッケージ３０に積み重ねられ得る。積み重ねられたとき、第２のパッケージ３０の突起３６は、第１のパッケージ３０の本体３２の底面の同様の形状の切欠部（図示せず）と連結される。また、突起３６は、円形、正方形、長方形、三角形、四角形、五角形、六角形、七角形、八角形、九角形、十角形、十六角形、二十角形、星形、楕円形、半円形、三日月形、花形、またはこれらの組合せからなる群より選択される形状を有してもよい。
【０１０８】
[00133]図６に示されているように、さらに供食パッド３８が、供食の前、間、または後に子供に対して与えられてもよい。この実施形態において、子供が食品を含むパッケージをそれぞれの上に積み重ねることを単に可能にする代わりに、さらに子供は、図７に示されているように、パッケージ３０の上部に成形された突起３６または本体３２の底面に成形された凹部と、供食パッド３８の対応する形状の突起４０とを連結してもよい。供食パッド３８の対応する形状４０と連結されると、突起形状４０は、パッケージ３０が供食時間中に転倒しないようにまたは中身がこぼれないようにすることに役立つ。また、供食パッド３８は、供食パッド３８が供食時間中によちよち歩きの幼児によって押されるか、または動かされることを防止する滑り止め加工の表面を有してもよい。
【０１０９】
[00134]パッケージ１０と同じように、蓋３４は、パッケージ１０に含まれている食品の種類を示す色を有してもよい。例えば、それぞれの蓋３４が異なる色を有する４つのパッケージ３０が用意される場合、それぞれのパッケージ３０の色は、パッケージ３０がタンパク質（例えば、オレンジ）、野菜（例えば、緑）、果物（例えば、赤）、または穀物（例えば、黄）のいずれを含むのかを示してもよい。さらに、蓋３４の突起形状３６もまた、パッケージ３０の内容物を示してもよい（例えば、黄色の蓋および穀物製品には正方形、緑色の蓋および野菜製品には円形、オレンジ色の蓋およびタンパク質製品には星形、ならびに赤色の蓋および果物製品には三角形）。当業者ならば分かるように、これらの組合せは、色／形状／食品の組合せの単なる例であり、組合せが、各食品群に対して一義的な色および形状を与える限り、任意の周知の組合せが使用されてもよい。
【０１１０】
[00135]パッケージ１０と同様に、パッケージ３０もまた、供食、教育、および遊び時間の目的に関して多機能であってもよい。例えば、パッケージ３０は、突起３６の形状と突起４０の形状とを一致させることが、よちよち歩きの幼児の側に器用さ、形状認識および照合の能力を要求する点で子供にとって教育的であり得る。さらに、本パッケージは、よちよち歩きの幼児の保護者の買物および家庭での在庫管理を容易にすることができる。このように、保護者は、異なる色を有するパッケージを単に選択することにより野菜、果物、タンパク質、および穀物のそれぞれの１回分を用意することによって、バランスの取れた食事を容易に提供することができる。また、保護者は、上述した色または形状体系に基づいてよちよち歩きの幼児のためにバランスの取れた食物を選択し、選択した食物のパッケージ３０を積み重ね、よちよち歩きの幼児に食事を出すことができる。この提案は、食事の時間をよちよち歩きの幼児にとって楽しいものにし、子供は、パッケージ３０をはがし、パッケージ３０を開封し、自己摂食を行い、次に（必要に応じて）空のパッケージ３０を用いて遊ぶか、または空のパッケージ３０を再び積み重ねるようにして、パッケージ３０を用いて「遊ぶ」ことが可能になり得る。
【０１１１】
[00136]また、本体３２に含まれている食品の種類を示す印４２を本体３２に設けることによって、保護者は、よちよち歩きの幼児のために栄養的な食物を容易に組み合わせることができる。
【０１１２】
[00137]別の実施形態において、図８〜図１０に示されているように、可食製品を保管するためのパッケージ５０が提供される。パッケージ５０は、内部区画（図示せず）を形成し、かつスリーブ５４に収容される本体５２を有する容器を含む。パッケージ５０の本体５２は、正方形として示されているが、パッケージ５０の本体５２は、当該技術分野で周知の任意の形状で形成されてもよい。例えば、本体５２は、内部区画に可食製品を収容することができる限り、円筒形、立方体形、直方体形、角錐形、円錐形、角柱形、長円形（例えば、楕円形）、またはこれらの組合せであってもよい。参照しやすいように、この実施形態に関しては、正方形の本体５２としての本体５２について述べる。また、本体５２は、可食製品が本体５２に含まれることができ、よちよち歩きの幼児またはよちよち歩きの幼児の保護者によって容易に取り扱われ得る限り、何か特定のサイズに限定されるわけではない。当業者ならば分かるように、パッケージ５０の寸法は、必要に応じて、または製造仕様に応じて、またはパッケージ５０に含まれる可食製品のサイズおよび形状に応じて変更されてもよい。
【０１１３】
[00138]しかしながら、本体５２の内部区画（図示せず）のサイズおよび形状は、よちよち歩きの幼児が容易に自己摂食を行うことを可能にするものであるべきである。例えば、内部区画は、よちよち歩きの幼児が自己摂食を行う目的で本体５２に収容されている可食製品を取り出すために本体５２内に到達することを可能にする円形または楕円形の形状を有してもよい。よちよち歩きの幼児の手の器用さは、限定されたものであるか、またはきめ細かなものではないため、よちよち歩きの幼児は、内部区画が、食品が引っ掛かるか、または嵌り込み、そこから取り出すために微妙な運動制御を必要とする可能性がある角を有する場合、本体５２から食品を取り出すことに苦労する可能性がある。実施形態において、内部区画は、角が丸められた正方形の形状を有する。実施形態において、本体５２は、１つより多くの区画を含んでもよい。
【０１１４】
[00139]また、パッケージ５０は、本体５２に適合するサイズおよび形状に形成された蓋５６を含んでもよい。蓋５６は、本体５２に収容される可食製品の損失または汚染を防止するために本体５２に密閉嵌合され得る限り、何か特定の形状またはサイズに限定されるわけではない。このように、蓋５６は、スナップフィット、圧力嵌め、摩擦嵌めなどによって本体５２と連結されてもよい。蓋５６は、本体５２から取り外されるたびに密閉態様で再び本体５２に配置され得るように、再密閉態様で本体５２に嵌合されてもよい。実施形態において、蓋５６は、図８〜図９に示されているように略平坦な蓋である。しかしながら、当業者ならば分かるように、蓋５６は、当該技術分野で周知の任意の形状を有してもよい。
【０１１５】
[00140]前の実施形態と同様に、本体５２および／または蓋５６には、パッケージ５０の栄養的な内容物を示す色が付けられてもよい。例えば、本体５２および／または蓋５６には、パッケージ５０がタンパク質を含むことを示すオレンジの色が付けられてもよい。あるいは、本体５２および／または蓋５６には、パッケージ５０が野菜を含むことを示す緑、またはパッケージ５０が果物を含むことを示す赤、パッケージ５０が穀物を含むことを示す黄などの色が付けられてもよい。
【０１１６】
[00141]スリーブ５４は、本体５２を包み込むことができ、かつ剛体の構造体または半剛体の構造体を形成することができる任意の材料から作られてもよい。例えば、スリーブ５４は、ボール紙、板紙、カード用紙、繊維板、リッドストックなどから作られてもよい。スリーブ５４は、連続した１つの材料であってもよいし、または折られて、それ自体の部分に接着される略平坦な材料片であってもよい。
【０１１７】
[00142]また、スリーブ５４は、パッケージ５０の内容物を示す色、形状、または印を有してもよい。例えば、スリーブ５４の色は、パッケージ５０がタンパク質（例えば、オレンジ）、野菜（例えば、緑）、果物（例えば、赤）、または穀物（例えば、黄）のいずれを含むのかを示してもよい。さらに、スリーブ５４上の数字も、パッケージ５０の内容物を示してもよい（例えば、野菜には数字の「１」、果物には数字の「２」、タンパク質には数字の「３」、および穀物には数字の「４」）。当業者ならば分かるように、これらの組合せは、色／形状／食品の組合せの単なる例であり、組合せが、各食品群に対して一義的な色および形状を与える限り、任意の周知の組合せが使用されてもよい。
【０１１８】
[00143]このような標識は、スリーブ５４の様々な面に配置されてもよいし、またはスリーブ５４の１つの面において組み合わされてもよい。例えば、図８および図１０Ａ〜図１０Ｄに示されているように、スリーブ５４の各面には、異なる標識が採用されてもよい。スリーブ５４の背面にあってもよい図１０Ａは、バランスの取れた食事を提供することについての情報を含む。具体的には、図１０Ａは、野菜に関する特定の色および数字、タンパク質に関する特定の色および数字、果物に関する特定の色および数字、ならびに穀物に関する特定の色および数字を示す「凡例」を提供している。図１０Ｂは、色および数字を提示している。子供の楽しみのためにブロックの見た目を強調するために、図１０Ｂの数字「１」および数字「１」の周囲の枠線の双方が、パッケージ５０の内容物を示す特定の色によって色付けされてもよい。図１０Ｃは、パッケージ５０の内容物を示す色のついた背景（例えば、野菜には緑）を有し、その上に印刷された栄養情報を含んでもよい。図１０Ｄは、パッケージ５０の内容物（例えば、ニンジン）を示す目立つイラストを示している。
【０１１９】
[00144]したがって、本例では、本体５２の色は緑であってもよく、スリーブ５４は、（ｉ）図８および図１０Ｂに示されているように上面に緑色の数字「１」および緑の枠線を有し、（ｉｉ）栄養情報を含む底面に緑の背景を有し、（ｉｉｉ）前面にニンジンのイラストを有してもよい。当業者ならば分かるように、色、数字、および印がパッケージ５０の内容物を示す限り、色、数字、および印の組合せの他の組合せが使用されてもよい。さらに、当業者には知られているように、同様に同じ目的を達成する限りは、数字に代わるものが使用されてもよい（例えば、数字の代わりの文字）。
【０１２０】
[00145]前の実施形態と同様に、図８〜図１０は、審美的によちよち歩きの幼児の関心を引き付け、多様な目的を果たすことができるパッケージ５０を示している。この点に関して、よちよち歩きの幼児は、ブロックを食事の時間に関連付け始め、食事の時間に興奮し、食事の時間により辛抱強くなり得る。さらに、よちよち歩きの幼児は、食事の時間の前、間、または後にパッケージ５０を用いて遊ぶことが可能になり得る。さらに、図８〜図１０に示されているパッケージは、保護者が、栄養のあるバランスの取れた食物を購入し、これをよちよち歩きの幼児に与えることをより容易にすることもできる。このように、パッケージが、パッケージに含まれている可食製品の種類を示す印／色／数字などを有するため、保護者は、容易に識別可能な特徴（例えば、色、数字など）に基づいて、よちよち歩きの幼児用食品の供給を管理することもできるし、またはよちよち歩きの幼児用食品を追加購入することもできる。
【０１２１】
[00146]さらに別の実施形態において、図１１〜図１３に示されているように、可食製品を保管するためのパッケージ７０が提供される。パッケージ７０は、周辺部７４および少なくとも１つの内部区画７６を形成している本体７２ならびにスリーブ８６を含む。本体７２には、陳列のためにパッケージ７０を吊り下げるために使用され得るフック（図示せず）がさらに形成されてもよい。パッケージ７０の周辺部７４は、子供によって容易に認識されるが、一般的な幾何学的形状ではない任意の形状で形成されてもよい。例えば、図１１に示されている実施形態において、パッケージ７０の周辺部７４は、飛行機の形状で形成されている。しかしながら、当業者ならば分かるように、周辺部７４の形状は、飛行機に限定されるわけではなく、子供にとって容易に認識可能であり、一般的な幾何学的形状ではない任意の形状を含んでもよい。
【０１２２】
[00147]本明細書で使用されるとき、「認識可能な形状」は、パッケージ本体の周辺部および／または本体の周辺部が、子供によって容易に認識される形状で形成されていることを意味する。例えば、この形状は、例えば、飛行機、道化師、人形、恐竜、犬、猫、ロボットなどを含んでもよい。この形状は、テレビ、映画、本、遊び、ゲーム、学校、家庭などから認識可能であってもよい。さらに、本明細書で使用されるとき、「一般的な幾何学的」形状は、普通に知られていて、子供にとっては馴染みのある形状、例えば、円形、三角形、正方形、長方形などである。
【０１２３】
[00148]周辺部７４に形状を有することに加えて、よちよち歩きの幼児の関心を引き付けるために、本体７２は、子供らしい楽しい特徴をパッケージ７０に付与するエンボス加工された形状、デボス加工された形状、印刷された形状、またはステッカー形状８８をさらに含んでもよい。例えば、図１１〜図１３に示されているように、本体７２は、子供の自己摂食の欲求を高めることが可能な、または子供に食事の時間が待ち遠しくなるようにさせることが可能な、子供が楽しみを見出すことのできるデボス加工されたスマイリーフェイス形状８８を含んでもよい。
【０１２４】
[00149]実施形態において、周辺部７４の部分７８は、パッケージ７０のより容易な取扱いを可能にする。例えば、図１１〜図１３では、飛行機の「翼」または「頭」を表す周辺部７４の部分７８は、パッケージ７０を取り扱うことを助ける。実施形態において、周辺部７４のこれらの把持部７８はさらに、販売目的で製品を垂直に立てることに役立つように使用されてもよい。また、把持部７８は、図１３に示されているように複数のパッケージ７０を互いに連結するために使用され得る突起８０を含んでもよい。突起８０は、本体７２の上部にエンボス加工された側を有し、本体７２の下部にデボス加工された側を有するように、型打ちされてもよいし、そうでなければ、本体７２と一体的に形成されてもよい。このようにして、第１のパッケージ７０の突起８０のエンボス加工された側は、第２のパッケージ７０の突起８０のデボス加工された側と連結することができる。さらに、第１のパッケージ７０の第２の突起８０のデボス加工された側は、第３のパッケージ７０の突起８０のエンボス加工された側と連結することができる。
【０１２５】
[00150]実施形態において、パッケージ７０は、保管または陳列のために垂直に立てられてもよい。最適な包装および消費者または小売店への輸送のために、パッケージ７０は、略垂直に立てられ得ることが有益である。さらに、消費者が、パッケージ７０の前面の製品情報を識別することができ、パッケージ７０の認識可能な形状が、消費者にとって容易に見ることができ、よちよち歩きの幼児／保護者が、パッケージ７０の形状などを容易に見ることができるように、略垂直な姿勢でパッケージ７０を商店の棚に陳列することが販売目的にとっては好適である。
【０１２６】
[00151]例えば、区画７６の底面８２は、周辺部７４の部分８４と共にパッケージ７０が立つことになる平面を形成する。言い換えれば、パッケージ７０にとっては、パッケージ７０を載置することのできる平面が形成される限り、周辺部７４および／または区画７６の形状は重要ではない。実施形態において、パッケージ７０は、パッケージ７０の形状に応じて、略鉛直のもしくは略垂直の姿勢で載置されてもよいし、または消費者の方へもしくは消費者から離れる方へ傾斜した姿勢で載置されてもよい。パッケージ７０の形状に関係なく、底面で載置したい場合、パッケージ７０は、安定した仕方で平面に載置することができなければならない。言い換えれば、パッケージ７０は、可食製品が充填されたときに容易に転倒しないように構成され配置されなければならない。
【０１２７】
[00152]別の実施形態において、パッケージ７０は、小売店の陳列ラックから垂直に吊り下げられるように構成されてもよい。上述したように、本体７２には、パッケージ７０が陳列ラックから吊り下げられることを可能にするハンガを受けるように構成され配置されたフック（図示せず）が形成されてもよい。当業者ならば分かるように、フックの形状およびサイズはそれほど重要ではない。例えば、実施形態において、フックは、飛行機の頭または顔の位置に相当する、本体７２の上部における孔であってもよい。フックは、フックが周辺部７４の一部を形成しないように完全に本体７２によって形成されてもよい。
【０１２８】
[00153]しかしながら、その代わりとして、周辺部７４は、周辺部７４の一部を形成するように構成され配置された一体フック（図示せず）を含んでもよい。言い換えれば、一体フックは、周辺部７４との境界を共有するように周辺部７４の一部と連続的に形成されてもよい。例えば、パッケージ７０が概ね飛行機の形状を有する実施形態において、フックは、パッケージ７０の上部に位置する周辺部７４の一部を形成してもよく、また、フックとして機能するが、飛行機の髪のように見える湾曲した形態を有してもよい。当業者ならば分かるように、一体フックは、パッケージ７０を吊り下げるために陳列ハンガを通すことを可能にする限り、何か特定のサイズまたは形状に限定されるわけではない。
【０１２９】
[00154]略垂直に立てることおよび吊り下げることに加えて、パッケージ７０は、図１１に示されているように面に略平坦に寝かせられるようにさらに構成されてもよい。実施形態において、スリーブ８６および本体７２は、略平坦であり、パッケージ７０が平坦な面に寝かせられることを可能にする。
【０１３０】
[00155]前の実施形態と同様に、本体７２には、パッケージ７０の栄養的な内容物を示す色が付けられてもよい。例えば、本体７２には、パッケージ７０がタンパク質を含むことを示すオレンジの色が付けられてもよい。あるいは、本体７２には、パッケージ７０が野菜を含むことを示す緑、またはパッケージ７０が果物を含むことを示す赤、またはパッケージ７０が穀物を含むことを示す黄の色が付けられてもよい。突起８０と共にパッケージ７０の内容物を示す色のついた本体７２を用意することによって、保護者は、図１３に示されているように、色の異なるパッケージ７０のそれぞれを１つずつ単に選択し、よちよち歩きの幼児のためにそれらを互いに連結することによってバランスの取れた食事をよちよち歩きの幼児に容易に与えることができる。
【０１３１】
[00156]スリーブ８６は、本体７２を包み込むことができ、かつ剛体の構造体または半剛体の構造体を形成することができる任意の材料から作られてもよい。例えば、スリーブ８６は、ボール紙、板紙、カード用紙、リッドストック、繊維板などから作られてもよい。スリーブ８６は、連続した１つの材料であってもよいし、または折られて、それ自体の部分に接着される略平坦な材料片であってもよい。
【０１３２】
[00157]また、スリーブ８６は、パッケージ７０の内容物を示す色、形状、または印を有してもよい。例えば、スリーブ８６の色は、パッケージ７０がタンパク質（例えば、オレンジ）、野菜（例えば、緑）、果物（例えば、赤）、または穀物（例えば、黄）のいずれを含むのかを示してもよい。さらに、スリーブ８６上のイラストが、パッケージ７０の内容物（例えば、ニンジン）を示してもよい。当業者ならば分かるように、これらの組合せは、色／形状／食品の組合せの単なる例であり、組合せが、各食品群に対して一義的な色および形状を与える限り、任意の周知の組合せが使用されてもよい。
【０１３３】
[00158]このような標識は、スリーブ８６の様々な面に配置されてもよいし、またはスリーブ８６の１つの面において組み合わされてもよい。例えば、図１１に示されているように、パッケージ７０の内容物（例えば、ニンジン）のイラストは、スリーブ８６の前面にあってもよく、一方、栄養情報は、スリーブ８６の背面（図示せず）にあってもよい。色、イラスト、および他の標識の組合せは、前述した実施形態と同じであってもよい。
【０１３４】
[00159]したがって、本例では、本体７２の色は緑であってもよく、スリーブ８６は、（ｉ）栄養情報を含む底面に緑の背景を有し、（ｉｉ）前面にニンジンのイラストを有してもよい。当業者ならば分かるように、色、数字、および印がパッケージ７０の内容物を示す限り、色、数字、印などの他の組合せが使用されてもよい。
【０１３５】
[00160]実施形態において、パッケージ７０は、パッケージ７０に可食製品を適切に保管するために蓋（図示せず）または取り外し可能な閉鎖具などの他の形態の閉鎖具を含んでもよい。取り外し可能な閉鎖具（図示せず）、例えば、透明なフィルム、ボール紙、板紙、カード用紙、リッドストック、繊維板などが、本体７２の上面を密閉してもよく、周囲の環境から区画７６を密閉閉鎖してもよい。可食製品の隔離に加えて、取り外し可能な閉鎖具はさらに、製品を新鮮に保ち、製品の貯蔵寿命を延長するために使用され得る。当該技術分野で周知の従来の任意の密閉技術が、取り外し可能な閉鎖具により本体７２の上面を密閉するために使用されてもよい。この技術は、伝導加温（ｃｏｎｄｕｃｔｉｖｅ  ｈｅａｔｉｎｇ）、低温密閉（ｃｏｌｄ  ｓｅａｌｉｎｇ）、高温密閉（ｈｅａｔ  ｓｅａｌｉｎｇ）、熱活性接着剤（ｈｅａｔ  ａｃｔｉｖａｔｅｄ  ａｄｈｅｓｉｖｅ）などを含んでもよいが、これらに限定されない。
【０１３６】
[00161]本開示のパッケージは、パッケージの内容物の情報を伝達し、よちよち歩きの幼児にバランスの取れた食事を与える現代的な簡単で新しい方法を提供する。具体的には、本パッケージは、パッケージに含まれている食品の栄養的な内容物または種類を把握するために必要な時間を短縮する簡単な買物体験を保護者にもたらす。それどころか、保護者は、色、数字、文字、および他の容易な標識によって簡単に買物を行うことができる。さらに、パッケージ上に見出される色、数字、文字などは、よちよち歩きの幼児にバランスの取れた食事を与える方法についての情報を保護者に迅速かつ簡単に伝達する。
【０１３７】
[00162]さらに、本開示のパッケージは、審美的によちよち歩きの幼児の関心を引き付け、多様な目的を果たすことができる。この点に関して、よちよち歩きの幼児は、楽しみおよび学びと食事の時間とを結び付け始め、食事の時間に興奮し、より辛抱強くなり得る。さらに、よちよち歩きの幼児は、食事の時間の前、間、または後に本開示のパッケージを用いて遊ぶことが可能になり得る。
【０１３８】
[00163]当業者ならば分かるように、本明細書で開示した実施形態のいずれも、本明細書で開示した任意の他の実施形態によって示されたか、または説明された特徴のいずれをも含み得る。このように、例えば、図１〜図３のパッケージは、図８〜図１０または図１１〜図１３のパッケージと同様の特徴をさらに共有してもよい。
【０１３９】
[00164]さらに別の実施形態において、出願人は、本開示のパッケージを製造する効率的で低コストの方法を見出した。当業者ならば分かるように、本明細書で開示した製造方法は、本開示のパッケージおよび上に開示したパッケージの特徴のすべてを含む場合もあるし、含まない場合もある同様のパッケージに使用されてもよい。
【０１４０】
[00165]出願人は、ミシン目によって区別される互いに連結されたパッケージとして本開示のパッケージを製造することが、単一のパッケージとして本開示のパッケージを製造することに優るいくつかの利点をもたらすことを見出した。実際、２つのトレイは、現行の製造ラインの設置面積に適合する一方で、これを改良する。例えば、２つのトレイは、２つのパックの容易な分離を可能にするためにミシン目を用いることによって互いに連結されてもよい。このデザインは、より低い製造コストを可能にし、カスタマイズのために個々の構成部品のアラカルト構想を実現することを実行可能な計画にする。その上さらに、ミシン目が形成されずに、互いに連結されている現在の単一の区画デザインは、製造ラインの１枚のキャリヤプレートにつき６つのトレイに限定されており、また、教育的なまたは子供の関心を引く構成部品を有さない。
【０１４１】
[00166]しかしながら、対照的に、第１のトレイ９２および第２のトレイ９４を有するミシン目のある２パックデザイン９０は、図１４〜図１５に示されているように、キャリヤプレートに配置されるデザインと共により低い製造コストを可能にする。このデザインは、製造ラインの１枚のキャリヤプレートにつき８つのトレイを可能にする。このことは、１枚のキャリヤプレートにつきより少ないトレイを提供することよりも大幅にコスト効率が高い。また、このデザインは、よちよち歩きの幼児／保護者がバランスの取れた食物を組み合わせることまたは特に必要とされる食事の要素を食べることを可能にするために各食品分類（穀物、タンパク質、野菜）の個々のトレイを用意することによって、消費者のカスタマイズ要求も満たす。
【０１４２】
[00167]ミシン目のある２パックデザイン９０は、少なくとも２つの構成で配置されてもよい。第１の実施形態において、図１４に示されているように、第１のトレイ９２および第２のトレイ９４は、並置され、ミシン目９６によって互いに区別されてもよい。第２の構成では、ミシン目のある２パックデザイン９０は、第１のトレイ９２が逆さまの姿勢で第２のトレイ９４の上面に載置されるようにミシン目９６において折り返されてもよい。これらの構成の双方において、トレイ９２、９４は、ミシン目９６によって互いに連結されたままである。トレイが互いに連結されたままである実施形態において、トレイは、消費者による分離および組立てのために、図４〜図７に示されているのと同様の蓋を用いて包装され、輸送されてもよい。あるいは、トレイ９２、９４は、ミシン目９６によって互いに連結された状態で製造され、次に、包装の前および小売業者または消費者への輸送の前に分離されてもよい。このような実施形態において、トレイ９２、９４は、包装の前および小売業者または消費者への輸送の前にこれらの上に配置される、図４〜図７に示されているのと同様の蓋を有してもよい。
【０１４３】
[00168]ミシン目９６を伴うトレイ９２、９４が供給者から受け取られてもよい。この場合、製造工程中に、トレイ９２、９４が充填されて、トレイ９２、９４に取り外し可能なカバー９８が接着される必要がある。カバー９８は、フィルム、ボール紙、板紙、カード用紙、リッドストック、繊維板などであってもよい。トレイ９２、９４の分離可能性を確保するために、カバー９８は、製造中にミシン目の形成またはダイカットを必要とする場合がある。また、カバー９８は、トレイ９２、９４のミシン目９６に対応する位置に配置された切断部またはミシン目（図示せず）を含んでもよい。
【０１４４】
[00169]先に言及したように、本開示のパッケージに関して上述した特徴のすべては、トレイ９２、９４に利用されてもよい。例えば、トレイ９２、９４は、子供が食事を構成するために形状を一致させ、および／または色、数字、文字などを組み合わせる間に教育的で魅力ある体験を子供にもたらすために、トレイ９２、９４の底部にエンボス加工された形状デザインを含んでもよい。
【０１４５】
[00170]このように、出願人は、２パック用のミシン目のあるフィルムによってレトルト／長期保存可能な包装デザイン（ｒｅｔｏｒｔ／ｓｈｅｌｆ  ｓｔａｂｌｅ  ｐａｃｋａｇｉｎｇ  ｄｅｓｉｇｎ）を提供することができる。このような実施形態において、トレイ９２、９４は、カバー９８（例えば、リッドストック）によって互いに連結される。このことは、現在の２パック構成に優る製造上の利点をもたらし、現在の２パック構成とは異なる。
【０１４６】
[00171]図１６に示されているように第１のトレイ１０２および第２のトレイ１０４を有するミシン目のある２パックデザイン１００は、トレイの代替的な形状を示している。また、このデザインは、よちよち歩きの幼児／保護者がバランスの取れた食物を組み合わせることまたは特に必要とされる食事の要素を食べることを可能にするために各食品分類（穀物、タンパク質、野菜）の個々のトレイを用意することによって、消費者のカスタマイズ要求をも満たす。一実施形態において、各食品分類（穀物、タンパク質、野菜）は、異なる形状を有してもよい。
【０１４７】
[00172]ミシン目のある２パックデザイン１００は、任意の構成で配置されてもよい。第１の実施形態において、図１６に示されているように、第１のトレイ１０２および第２のトレイ１０４は、並置され、ミシン目によって互いに区別されてもよい。この構成では、トレイ１０２、１０４は、ミシン目によって互いに連結されたままである。トレイが互いに連結されたままである実施形態において、トレイは、消費者による分離および組立てのために、図４〜図７に示されているのと同様の蓋を用いて包装され、輸送されてもよい。あるいは、トレイ１０２、１０４は、ミシン目によって互いに連結された状態で製造され、次に、包装の前および小売業者または消費者への輸送の前に分離されてもよい。このような実施形態において、トレイ１０２、１０４は、包装の前および小売業者または消費者への輸送の前にこれらの上に配置される、図４〜図７に示されているのと同様の蓋を有してもよい。
【０１４８】
[00173]ミシン目を伴うトレイ１０２、１０４が供給者から受け取られてもよい。この場合、製造工程中に、トレイ１０２、１０４が充填されて、トレイ１０２、１０４に取り外し可能なカバーが接着される必要がある。取り外し可能なカバーは、フィルム、ボール紙、板紙、カード用紙、リッドストック、繊維板などであってもよい。トレイ１０２、１０４の分離可能性を確保するために、カバーは、製造中にミシン目の形成またはダイカットを必要とする場合がある。また、カバーは、トレイ１０２、１０４のミシン目に対応する位置に配置された切断部またはミシン目を含んでもよい。
【０１４９】
[00174]先に言及したように、本開示のパッケージに関して上述した特徴のすべては、トレイ１０２、１０４に利用されてもよい。例えば、トレイ１０２、１０４は、子供が食事を構成するために形状を一致させ、および／または色、数字、文字などを組み合わせる間に教育的で魅力ある体験を子供にもたらすために、トレイ１０２、１０４の底部にエンボス加工された形状デザインを含んでもよい。
【０１５０】
[00175]このように、出願人は、２パック用のミシン目のあるフィルムによってレトルト／長期保存可能な包装デザインを提供することができる。このような実施形態において、トレイ１０２、１０４は、カバー（例えば、リッドストック）によって互いに連結される。
【０１５１】
[00176]図１７に示されているように、第１のトレイ１１２および第２のトレイ１１４を有するミシン目のある２パックデザイン１１０は、２パックデザインのトレイのサイズが互いに異なってもよい実施形態を示している。また、このデザインは、よちよち歩きの幼児／保護者がバランスの取れた食物を組み合わせることまたは特に必要とされる食事の要素を食べることを可能にするために各食品分類（穀物、タンパク質、野菜）の個々のトレイを用意することによって、消費者のカスタマイズ要求をも満たす。一実施形態において、各食品分類（穀物、タンパク質、野菜）は、異なる形状を有してもよい。
【０１５２】
[00177]ミシン目のある２パックデザイン１１０は、任意の構成で配置されてもよい。実施形態において、図１７に示されているように、第１のトレイ１１２および第２のトレイ１１４は、並置され、ミシン目によって互いに区別されてもよい。この構成では、トレイ１１２、１１４は、ミシン目によって互いに連結されたままである。トレイが互いに連結されたままである実施形態において、トレイは、消費者による分離および組立てのために、図４〜図７に示されているのと同様の蓋を用いて包装され、輸送されてもよい。あるいは、トレイ１１２、１１４は、ミシン目によって互いに連結された状態で製造され、次に、包装の前および小売業者または消費者への輸送の前に分離されてもよい。このような実施形態において、トレイ１１２、１１４は、包装の前および小売業者または消費者への輸送の前にこれらの上に配置される、図４〜図７に示されているのと同様の蓋を有してもよい。
【０１５３】
[00178]ミシン目を伴うトレイ１１２、１１４が供給者から受け取られてもよい。この場合、製造工程中に、トレイ１１２、１１４が充填されて、トレイ１１２、１１４に取り外し可能なカバーが接着される必要がある。取り外し可能なカバーは、フィルム、ボール紙、板紙、カード用紙、リッドストック、繊維板などであってもよい。トレイ１１２、１１４の分離可能性を確保するために、カバーは、製造中にミシン目の形成またはダイカットを必要とする場合がある。また、カバーは、トレイ１１２、１１４のミシン目に対応する位置に配置された切断部またはミシン目を含んでもよい。
【０１５４】
[00179]先に言及したように、本開示のパッケージに関して上述した特徴のすべては、トレイ１１２、１１４に利用されてもよい。例えば、トレイ１１２、１１４は、子供が食事を構成するために形状を一致させ、および／または色、数字、文字などを組み合わせる間に教育的で魅力ある体験を子供にもたらすために、トレイ１１２、１１４の底部にエンボス加工された形状デザインを含んでもよい。
【０１５５】
[00180]このように、出願人は、２パック用のミシン目のあるフィルムによってレトルト／長期保存可能な包装デザインを提供することができる。このような実施形態において、トレイ１１２、１１４は、カバー（例えば、リッドストック）によって連結される。
【０１５６】
[00181]図１８に示されているように第１のトレイ１２２、第２のトレイ１２３、および第３のトレイ１２４を有するミシン目のある３パックデザイン１２０は、３パックデザインのトレイのサイズが互いに異なってもよい実施形態を示している。代替的な実施形態において、３パックデザインは、ただ１つのサイズを有するトレイを有してもよい。別の実施形態において、３パックデザインは、２つのサイズを有するトレイを有してもよい。さらなる実施形態において、３パックデザインは、３つのサイズを有するトレイを有してもよい。また、このデザインは、よちよち歩きの幼児／保護者がバランスの取れた食物を組み合わせることまたは特に必要とされる食事の要素を食べることを可能にするために各食品分類（穀物、タンパク質、野菜）の個々のトレイを用意することによって、消費者のカスタマイズ要求も満たす。一実施形態において、各食品分類（穀物、タンパク質、野菜）は、異なるサイズを有してもよい。
【０１５７】
[00182]ミシン目のある３パックデザイン１２０は、任意の構成で配置されてもよい。第１の実施形態において、図１８に示されているように、第１のトレイ１２２、第２のトレイ１２３、および第３のトレイ１２４は、並置され、ミシン目によって互いに区別されてもよい。この構成では、トレイ１２２、１２３、１２４は、ミシン目によって互いに連結されたままである。トレイが互いに連結されたままである実施形態において、トレイは、消費者による分離および組立てのために、図４〜図７に示されているのと同様の蓋を用いて包装され、輸送されてもよい。
【０１５８】
[00183]ミシン目を伴うトレイ１２２、１２３、１２４が供給者から受け取られてもよい。この場合、製造工程中に、トレイ１２２、１２３、１２４が充填されて、トレイ１２２、１２３、１２４に取り外し可能なカバーが接着される必要がある。取り外し可能なカバーは、フィルム、ボール紙、板紙、カード用紙、リッドストック、繊維板などであってもよい。トレイ１２２、１２３、１２４の分離可能性を確保するために、カバーは、製造中にミシン目の形成またはダイカットを必要とする場合がある。また、カバーは、トレイ１２２、１２３、１２４のミシン目に対応する位置に配置された切断部またはミシン目を含んでもよい。
【０１５９】
[00184]先に言及したように、本開示のパッケージに関して上述した特徴のすべては、トレイ１２２、１２３、１２４に利用されてもよい。例えば、トレイ１２２、１２３、１２４は、子供が食事を構成するために形状を一致させ、および／または色、数字、文字などを組み合わせる間に教育的で魅力ある体験を子供にもたらすために、トレイ１２２、１２３、１２４の底部にエンボス加工された形状デザインを含んでもよい。
【０１６０】
[00185]このように、出願人は、３パック用のミシン目のあるフィルムによってレトルト／長期保存可能な包装デザインを提供することができる。このような実施形態において、トレイ１２２、１２３、１２４は、カバー（例えば、リッドストック）によって互いに連結される。
【０１６１】
[00186]さらに別の実施形態において、図１９〜図２３に示されているように、可食製品を保管するためのパッケージ１７０が提供される。パッケージ１７０は、周辺部１７４および少なくとも１つの内部区画１７６を形成している本体１７２を含む。本体１７２には、陳列のためにパッケージ１７０を吊り下げるために使用され得るフック（図示せず）が形成されてもよい。パッケージ１７０の周辺部１７４は、２つのパッケージ１７０を取り外し可能に連結することを可能にするために少なくとも２つの突起１８０を含む任意の形状で形成されてもよい。当業者ならば分かるように、周辺部１７４の形状は限定されない。
【０１６２】
[00187]また、本体１７２は、子供らしい楽しい特徴をパッケージ１７０に付与するエンボス加工された形状、デボス加工された形状、印刷された形状、またはステッカー形状を含んでもよい。例えば、本体１７２は、子供の自己摂食の欲求を高めることが可能な、または子供に食事の時間が楽しみになるようにさせることが可能な、子供が楽しみを見出すことのできるデボス加工されたスマイリーフェイス形状を含んでもよい。
【０１６３】
[00188]実施形態において、周辺部１７４の部分１７８は、パッケージ１７０のより容易な取扱いを可能にする。例えば、パッケージの「側部」を表す周辺部１７４の部分１７８は、２つ以上のパッケージが図２２に示されているように突起１８０において互いに連結されたときにパッケージ１７０の安定性を助ける。なお、この場合、２つの互いに隣接するパッケージ１７０の部分１７８は、少なくとも部分的に重なり合う。実施形態において、周辺部１７４のこれらの把持部１７８はさらに、販売目的で製品を垂直に立てることに役立つように使用されてもよい。把持部１７８は、図２２に示されているように、複数のパッケージ１７０を互いに連結するために使用され得る突起１８０を含む。突起１８０は、突起１８０が本体１７２の上部にエンボス加工された側を有し、本体１７２の下部にデボス加工された側を有するように、型打ちされてもよいし、そうでなければ、本体１７２と一体的に形成されてもよい。このようにして、第１のパッケージ１７０の突起１８０のエンボス加工された側は、第２のパッケージ１７０の突起１８０のデボス加工された側と連結することができる。さらに、第１のパッケージ１７０の第２の突起１８０のデボス加工された側は、第３のパッケージ１７０の突起１８０のエンボス加工された側と連結することができる。
【０１６４】
[00189]実施形態において、パッケージ１７０は、保管または陳列のために垂直に立てられてもよい。最適な包装および消費者または小売店への輸送のために、パッケージ１７０は、略垂直に立てられ得ることが有益である。さらに、消費者が、パッケージ１７０の前面の製品情報を識別することができ、パッケージ１７０の認識可能な形状が、消費者にとって容易に見ることができ、よちよち歩きの幼児／保護者が、パッケージ１７０の形状などを容易に見ることができるように、略垂直な姿勢でパッケージ１７０を商店の棚に陳列することが販売目的にとっては好適である。
【０１６５】
[00190]例えば、区画１７６の底面１８２は、周辺部１７４の部分８４と共にパッケージ１７０が立つ平面を形成する。言い換えれば、パッケージ１７０のとっては、パッケージ１７０を載置することのできる平面が形成される限り、周辺部１７４および／または区画１７６の形状は重要ではない。実施形態において、パッケージ１７０は、パッケージ１７０の形状に応じて、略鉛直のもしくは略垂直の姿勢で載置されてもよいし、または消費者の方へもしくは消費者から離れる方へ傾斜した姿勢で載置されてもよい。パッケージ１７０の形状に関係なく、底面で載置したい場合、パッケージ１７０は、安定した仕方で平面に載置することができなければならない。言い換えれば、パッケージ１７０は、可食製品が充填されたときに容易に転倒しないように構成され配置されなければならない。
【０１６６】
[00191]別の実施形態において、パッケージ１７０は、小売店の陳列ラックから垂直に吊り下げられるように構成されてもよい。上述したように、本体１７２には、パッケージ１７０が陳列ラックから吊り下げられることを可能にするハンガを受けるように構成され配置されたフック（図示せず）が形成されてもよい。当業者ならば分かるように、フックの形状およびサイズはそれほど重要ではない。例えば、実施形態において、フックは、本体１７２の上部における孔であってもよい。フックは、周辺部１７４の一部を形成しないように完全に本体１７２によって形成されてもよい。
【０１６７】
[00192]しかしながら、その代わりとして、周辺部１７４は、周辺部１７４の一部を形成するように構成され配置された一体フック（図示せず）を含んでもよい。言い換えれば、一体フックは、周辺部１７４との境界を共有するように周辺部１７４の一部と連続的に形成されてもよい。例えば、パッケージ１７０が概ね飛行機の形状を有する実施形態において、フックは、パッケージ１７０の上部に位置する周辺部１７４の一部を形成してもよく、また、フックとして機能するが、飛行機の髪のように見える湾曲した形態を有してもよい。当業者ならば分かるように、一体フックは、一体フックがパッケージ１７０を吊り下げるために陳列ハンガを通すことを可能にする限り、何か特定のサイズまたは形状に限定されるわけではない。
【０１６８】
[00193]略垂直に立てることおよび吊り下げることに加えて、パッケージ１７０は、面に略平坦に寝かせられるようにさらに構成されてもよい。
【０１６９】
[00194]前の実施形態と同様に、本体１７２には、パッケージ１７０の栄養的な内容物を示す色が付けられてもよい。例えば、本体１７２には、パッケージ１７０がタンパク質を含むことを示すオレンジの色が付けられてもよい。あるいは、本体１７２には、パッケージ１７０が野菜を含むことを示す緑、またはパッケージ１７０が果物を含むことを示す赤、またはパッケージ１７０が穀物を含むことを示す黄の色が付けられてもよい。突起１８０と共にパッケージ１７０の内容物を示す色のついた本体１７２を用意することによって、図２３に示されているように、保護者は、色の異なるパッケージ１７０のそれぞれを１つずつ単に選択し、よちよち歩きの幼児のためにそれらを互いに連結することによってバランスの取れた食事をよちよち歩きの幼児に容易に与えることができる。
【０１７０】
[00195]実施形態において、パッケージ１７０は、パッケージ１７０に可食製品を適切に保管するために蓋（図示せず）または取り外し可能な閉鎖具などの他の形態の閉鎖具を含んでもよい。取り外し可能な閉鎖具（図示せず）、例えば、透明なフィルム、ボール紙、板紙、カード用紙、リッドストック、繊維板などが、本体１７２の上面を密閉してもよく、周囲の環境から区画１７６を密閉閉鎖してもよい。可食製品の隔離に加えて、取り外し可能な閉鎖具はさらに、製品を新鮮に保ち、製品の貯蔵寿命を延長するために使用され得る。当該技術分野で周知の従来の任意の密閉技術が、取り外し可能な閉鎖具により本体１７２の上面を密閉するために使用されてもよい。この技術は、伝導加温、低温密閉、高温密閉、熱活性接着剤などを含んでもよいが、これらに限定されない。
【０１７１】
[00196]先に言及したように、本開示のパッケージに関して上述した特徴のすべては、パッケージ１７０に利用されてもよい。例えば、パッケージ１７０は、子供が食事を構成するために形状を一致させ、および／または色、数字、文字などを組み合わせる間に教育的で魅力ある体験を子供にもたらすために、パッケージ１７０の底部にエンボス加工された形状デザインを含んでもよい。
【０１７２】
[00197]実施形態において、２つ以上のトレイは、別々に製造されて、互いに接合される。これにより、異なる工程および／または包装を必要とする２つの製品が足し合わされることが可能となる。
【０１７３】
[00198]実施形態において、２つ以上のトレイは、異なるトレイ深さを有する。
【０１７４】
[00199]実施形態において、２つ以上のトレイは、異なる直径および異なるトレイ深さを有する。
【０１７５】
[00200]実施形態において、２つ以上のトレイは、異なる製品を含む。
【０１７６】
[00201]実施形態において、２つ以上のトレイは、同じ製品を含む。
【０１７７】
[00202]実施形態において、２つ以上のトレイは、共に使用される物品を含む。例えば、一実施形態において、あるトレイはパスタを含むことができ、他のトレイはソースを含むことができる。さらなる実施形態において、あるトレイはパスタを含み、あるトレイはトマトソースを含み、別のトレイはアルフレッドソースを含む。これにより、消費者には、一方のソースもしくは他方のソースを使用するか、またはソースを組み合わせるかの選択肢が与えられる。さらに、別々の容器を用意することにより、消費者は、供食の時間に自分が望むだけの量のソースを加えることが可能となり、この結果、それにより大きな手作り感が与えられる。実施形態において、あるトレイはミルクを含み、別のトレイはシリアルを含む。さらなる実施形態において、あるトレイはチーズソースを含み、別のトレイは野菜を含む。実施形態において、あるトレイはヨーグルトを含み、別のトレイはシリアルを含む。別の実施形態において、あるトレイは果物を含み、別のトレイはシリアルを含む。さらなる実施形態において、あるトレイは果物を含み、別のトレイはヨーグルトを含む。実施形態において、あるトレイはビスケットを含み、別のトレイはグレービーを含み、または、あるトレイは肉料理を含み、他のトレイはグレービーを含み得る。別の実施形態において、あるトレイは朝食用の肉料理（ソーセージ、ハム、またはベーコンなど）を含み、別のトレイはオートミール、卵、フレンチトースト、シリアル、またはパンケーキを含む。さらなる実施形態において、あるトレイはスープを含み、別のトレイはアントレを含み得る。さらなる実施形態において、あるトレイは野菜を含み、あるトレイはハマスなどのディップを含み、別のトレイはランチディップを含む。
【０１７８】
[00203]実施形態において、２つ以上のトレイのうちの少なくとも１つは、共に使用される物品を含む。例えば、一実施形態において、トレイは、パスタおよびその中にソースを含む小袋を含んでもよい。
【０１７９】
[00204]実施形態において、２つ以上のトレイは、食事の異なる部分のための物品を含む。例えば、一実施形態において、あるトレイはアントレを含んでもよく、他のトレイはデザートを含んでもよい。さらなる実施形態において、あるトレイは前菜を含んでもよく、他のトレイはデザートを含んでもよい。別の実施形態において、あるトレイは前菜を含んでもよく、別のトレイはアントレを含んでもよく、別のトレイはデザートを含んでもよい。
【０１８０】
[00205]実施形態において、２つ以上のトレイは、異なる処理を必要とする物品を含む。例えば、一実施形態において、あるトレイは、加熱を必要とするアントレを含んでもよく、他のトレイは、冷凍を必要とするデザートを含んでもよい。さらなる実施形態において、あるトレイは、加熱または冷却のいずれも必要としないチップスを含んでもよく、他のトレイは、加熱または冷却されてもよいディップソースを含んでもよい。
【０１８１】
[00206]実施形態において、２つ以上のトレイは、レーザ切断によってミシン目を付けられる。
【０１８２】
[00207]実施形態において、レーザ切断によって、２つ以上のトレイはミシン目を付けられ、リッドストックは切断される。
【０１８３】
[00208]実施形態において、２つ以上のトレイは、熱処理された後でミシン目を付けられる。実施形態において、熱処理は、レトルト処理である。
【０１８４】
[00209]実施形態において、２つ以上のトレイは、熱処理された後で分離される。実施形態において、熱処理は、レトルト処理である。
【０１８５】
[00210]実施形態において、２つ以上のトレイは、一日の食事のうちの２種類以上を含んでもよい。例えば、あるトレイは朝食を含んでもよく、あるトレイは昼食を含んでもよく、あるトレイは間食を含んでもよく、および／またはあるトレイは夕食を含んでもよい。
【０１８６】
[00211]実施形態において、本開示のパッケージを使用するための方法も提供される。例えば、実施形態において、バランスの取れた食事を子供に与えるための方法が提供される。本方法は、少なくとも２つの異なるパッケージであって、各パッケージが、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類に対応する色とを有する、少なくとも２つの異なるパッケージを用意することを含む。本方法は、異なるパッケージのそれぞれを少なくとも１つ含む食事を子供に与えることをさらに含む。
【０１８７】
[00212]さらに別の実施形態において、バランスの取れた食事を子供に与えるための方法が提供される。本方法は、少なくとも２つの異なるパッケージであって、各パッケージが、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類を示す色とを有する、少なくとも２つの異なるパッケージを用意することを含む。本方法は、本体の凹部の形状およびサイズに対応する形状およびサイズを有する少なくとも１つの突起を有する略平坦な面を備える供食パッドを用意することと、本体の凹部の形状と供食パッドの少なくとも１つの突起とを一致させることと、本体の凹部と供食パッドの対応する少なくとも１つの突起とを連結することによって供食パッドにパッケージを配置することとをさらに含む。
【０１８８】
[00213]別の実施形態において、バランスの取れた食事を子供に与えるための方法が提供される。本方法は、少なくとも２つの異なるパッケージであって、各パッケージが、（ｉ）可食製品を収容するための容器であって、該容器に収容される可食製品の種類に対応する色を有する容器と、（ｉｉ）容器を収容するように構成されたスリーブであって、少なくとも４つの面を有し、該４つの面のそれぞれが印を備えるスリーブとを備える、少なくとも２つの異なるパッケージを用意することを含む。本方法は、異なるパッケージのそれぞれを少なくとも１つ含む食事を子供に与えることをさらに含む。
【０１８９】
[00214]さらに別の実施形態において、バランスの取れた食事を子供に与えるための方法が提供される。本方法は、少なくとも２つの異なるパッケージであって、各パッケージが、可食製品を収容するための少なくとも１つの内部区画を形成している本体と、該本体から延在する第１の突起および第２の突起と、飛行機に似た形状を有する周辺部とを備え、第１の突起が、飛行機形状の周辺部の第１の翼に相当する位置に配置されており、第２の突起が、飛行機形状の周辺部の第２の翼に相当する位置に配置されている、少なくとも２つの異なるパッケージを用意することを含む。本方法は、第１のパッケージの第１の突起を第２のパッケージの第２の突起に取り付けることと、互いに取り付けられた第１のパッケージおよび第２のパッケージを含む食事を子供に与えることとをさらに含む。
【０１９０】
[00215]さらに別の実施形態において、可食製品を販売するための方法が提供される。本方法は、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類に対応する色とを有するパッケージを用意することを含む。本方法は、小売店の棚にパッケージを配置することをさらに含む。
【０１９１】
[00216]別の実施形態において、可食製品を販売するための方法が提供される。本方法は、（ｉ）或る形状を有する凹部が形成されている面を備える本体であって、可食製品を収容するように構成された本体と、（ｉｉ）凹部の形状およびサイズに対応する形状およびサイズを有する突起が形成されている面を備える蓋と、可食製品の種類を示す色と、（ｉｉｉ）本体の凹部の形状およびサイズに対応する形状およびサイズを有する少なくとも１つの突起を有する略平坦な面を備える供食パッドとを備える、可食製品用のパッケージキットを用意することを含む。本方法は、小売店の棚に可食製品用のパッケージキットを配置することをさらに含む。
【０１９２】
[00217]さらに別の実施形態において、可食製品を販売するための方法が提供される。本方法は、（ｉ）可食製品を収容するための容器であって、該容器に収容される可食製品の種類に対応する色を有する容器と、（ｉｉ）容器を収容するように構成されたスリーブであって、少なくとも４つの面を有し、該４つの面のそれぞれが印を備えるスリーブとを備えるパッケージを用意することを含む。本方法は、小売店の棚に可食製品用のパッケージキットを配置することをさらに含む。
【０１９３】
[00218]さらに別の実施形態において、可食製品を販売するための方法が提供される。本方法は、可食製品を収容するための少なくとも１つの内部区画を形成している本体と、該本体から延在する第１の突起および第２の突起と、飛行機に似た形状を有する周辺部とを備え、第１の突起が、飛行機形状の周辺部の第１の翼に相当する位置に配置されており、第２の突起が、飛行機形状の周辺部の第２の翼に相当する位置に配置されているパッケージを用意することを含む。本方法は、小売店の棚に可食製品用のパッケージキットを配置することをさらに含む。
【０１９４】
[00219]本明細書で説明された現在のところ好ましい実施形態に対する様々な変更および修正は、当業者には明らかである。このような変更および修正は、本主題の精神および範囲を逸脱することなく、また、その意図する利点を損なうことなく行われ得る。したがって、このような変更および修正は添付の特許請求の範囲に含まれることが意図されている。
【図１】
2014522789.tif 000003
【図２】
2014522789.tif 000004
【図３】
2014522789.tif 000005
【図４】
2014522789.tif 000006
【図５】
2014522789.tif 000007
【図６】
2014522789.tif 000008
【図７】
2014522789.tif 000009
【図８】
2014522789.tif 000010
【図９】
2014522789.tif 000011
【図１０Ａ】
2014522789.tif 000012
【図１０Ｂ】
2014522789.tif 000013
【図１０Ｃ】
2014522789.tif 000014
【図１０Ｄ】
2014522789.tif 000015
【図１１】
2014522789.tif 000016
【図１２】
2014522789.tif 000017
【図１３】
2014522789.tif 000018
【図１４】
2014522789.tif 000019
【図１５】
2014522789.tif 000020
【図１６】
2014522789.tif 000021
【図１７】
2014522789.tif 000022
【図１８】
2014522789.tif 000023
【図１９】
2014522789.tif 000024
【図２０】
2014522789.tif 000025
【図２１】
2014522789.tif 000026
【図２２】
2014522789.tif 000027
【図２３】
2014522789.tif 000028
【国際調査報告】
2014522789.tif 000029
2014522789.tif 000030
2014522789.tif 000031
2014522789.tif 000032
2014522789.tif 000033